(57)【要約】【課題】前記のように爪ドラム乃至爪ボスの外周面に爪ホルダプレートを配置して、耕耘爪を取付ける形態では、これら爪ホルダプレートの構成が簡単ではあるが、軸芯方向にわたって複数の耕耘爪を配置して、耕耘幅を広くする形態では、多数の爪ホルダプレートを配置するため、各爪ホルダプレートの軸芯方向における取付間隔が狭くなり、構成が煩雑化し、わら屑や草類の巻付が行われやすくなる。又、耕耘爪の着脱操作も行われ難くなる。【解決手段】爪ホルダ１は耕耘軸２に嵌合して取付ける爪ボス３の外周に一体に取付けられて、この軸芯方向に対して傾斜する傾斜縁４と、この傾斜縁４の該軸芯方向側先端からこの爪ボス３の外方へ直交状に突出の取付片５を形成したことを特徴とするロータリ耕耘爪の取付ホルダの構成。【選択図】        図１
2005006531.tif 000002
【特許請求の範囲】
【請求項１】
爪ホルダ（１）は耕耘軸（２）に嵌合して取付ける爪ボス（３）の外周に一体に取付けられて、この軸芯方向に対して傾斜する傾斜縁（４）と、この傾斜縁（４）の該軸芯方向側先端からこの爪ボス（３）の外方へ直交状に突出の取付片（５）を形成したことを特徴とするロータリ耕耘爪の取付ホルダ。
【請求項２】
前記傾斜縁（４）と取付片（５）は、略方形状板金材を屈曲成形し、傾斜縁（４）部の中央部には爪ボス（３）を嵌合させる取付穴（６）を形成したことを特徴とする請求項１に記載のロータリ耕耘爪の取付ホルダ。
【発明の詳細な説明】
【０００１】
【発明の属する技術分野】
本発明は、ロータリ耕耘装置の耕耘爪を取付ける取付ホルダに関する。乗用トラクタやハンドトラクタ等に装着して耕耘する耕耘装置、管理作業機等のロータリ耕耘爪として利用される。又、中耕除草爪、乃至除草爪等としても利用される。
【０００２】
【従来の技術】
耕耘軸に嵌合させて取付ける爪ボスの外周に、爪ホルダ（プレート）をこの軸芯に対して直交方向に向けて取付け、この爪ホルダプレートに耕耘爪を取付ける技術が知られている（例えば特許文献１参照）。又、耕耘軸に取付ける多角断面形態の爪ドラムの外周面に、取付片を配置して、この取付片に耕耘爪を取付ける技術も一般的に知られている（例えば特許文献２参照）。
【特許文献１】実用新案登録第２５８７６６２号公報（第１頁、図１）
【特許文献２】特開平９−１８２５０３号公報（第２頁、図１）
【０００３】
【発明が解決しようとする課題】
前記のように爪ドラム乃至爪ボスの外周面に爪ホルダプレートを配置して、耕耘爪を取付ける形態では、これら爪ホルダプレートの構成が簡単ではあるが、軸芯方向にわたって複数の耕耘爪を配置して、耕耘幅を広くする形態では、多数の爪ホルダプレートを配置するため、各爪ホルダプレートの軸芯方向における取付間隔が狭くなり、構成が煩雑化し、わら屑や草類の巻付が行われやすくなる。又、耕耘爪の着脱操作も行われ難くなる。
【０００４】
【課題を解決するための手段】
請求項１に記載の発明は、爪ホルダ１は耕耘軸２に嵌合して取付ける爪ボス３の外周に一体に取付けられて、この軸芯方向に対して傾斜する傾斜縁４と、この傾斜縁４の該軸芯方向側先端からこの爪ボス３の外方へ直交状に突出の取付片５を形成したことを特徴とするロータリ耕耘爪の取付ホルダの構成とする。爪ホルダ１を爪ボス３に取付けて構成される取付ホルダは、耕耘軸２に嵌合させて取付けることができる。各取付片５部に耕耘爪を取付けて、回転により耕耘するときは、各耕耘爪の回転軌跡は軸芯方向に適宜の間隔を有するため、この爪ホルダ１に取付けられた耕耘爪による耕耘幅が広く形成される。又、これら耕耘爪の取付けられる取付片５間は、爪ボス３の外周面に沿って傾斜縁４が形成されて回転されるため、わらや草類が巻付こうとしても切断され易く、巻付が防止される。又、取付片５間がこの傾斜縁４によって相互に、しかも爪ボス３に取付連結されるため剛性を維持される。
【０００５】
請求項２に記載の発明は、前記傾斜縁４と取付片５は、略方形状板金材を屈曲成形し、傾斜縁４部の中央部には爪ボス３を嵌合させる取付穴６を形成したことを特徴とするものである。爪ホルダ１は、略方形状の板金材を用いて、中央部の傾斜縁４とこの両端部の取付片５との三つ折りの形態に折曲げて成形すると共に、この傾斜縁４の中央部に取付穴６を形成する。この取付穴６を爪ボス３に嵌合して、この嵌合部を溶接等によって一体構成とする。この爪ホルダ１は、傾斜縁４部が、爪ボス３の外周面に沿って軸芯方向に対して傾斜角を有して形成され、取付片５部が、爪ボス３の外周面に軸芯方向に対して直交する状態に形成される。耕耘爪はこの取付片５に沿って取付けられる。耕耘爪を取付ける取付片５部は、傾斜縁４の軸芯方向側端部に形成されるが、爪ボス３と取付穴６との嵌合取付によって一体構成されるため、剛性を高くして、耕耘爪の取付を安定させる。
【０００６】
【発明の効果】
請求項１に記載の発明は、耕耘爪を取付ける爪ホルダ１は、軸芯方向に適宜の間隔を有する取付片５に取付けられるため、一枚板状の爪ホルダ１でありながら、耕耘爪の軸芯方向の取付配置間隔を広くすることができ、構成を簡単にして軽量化でき、耕耘爪の着脱も容易である。又、これら爪ホルダ１を板金製等の形態として比較的薄い構成としても、取付片５は傾斜縁４部で連結されて、しかも爪ボス３に固定されるため、取付剛性が高く、耕耘爪の取付支持を補強して安定させることができる。又、耕耘作業中は、傾斜縁４の回転によって、わら、草類の巻付が防止され、又巻付こうとしてもこの傾斜縁４によって切断され、分離開放される。
【０００７】
請求項２に記載の発明は、爪ホルダ１が一枚の板金材によって屈曲成形されるため、構成は簡潔であり、軽量化でき、成形を簡単にすることができ、コストダウンを図ることができる。又、爪ボス３に対する取付けにおいても、取付穴６の嵌合によって軸芯方向に対する傾斜角をつけて容易に取付けることができ、剛性を高めることができる。
【０００８】
【発明の実施の形態】
この発明の実施例を図面に基づいて説明する。ロータリ耕耘装置は、中央部の耕耘伝動ケース７の下端部から左右両側部に耕耘軸２を突出させて、これら耕耘軸２に耕耘爪８，９を有した取付ホルダを取付けて耕耘するセンタドラブ形態としている。耕耘爪８，９は、爪ボス３の外周部に取付配置されて、この爪ボス３を耕耘軸２の外側端に嵌合させて、これら嵌合部の耕耘軸２のピン穴１０と爪ボス３のピン穴１１とにわたって、セットピン１２、又はセットボルトを差込んで着脱自在に取付固定する。この爪ボス３は、内側に小径の取付ボス部１３を一体構成として、この取付ボス部１３が前記耕耘軸２に嵌合されて取付けられる。
この爪ボス３には、前記伝動ケース７側の内端部と、これと反対側の外端部とに、爪ホルダ１４，１が適宜の軸芯Ａ方向の間隔を有して取付けられて、取付ホルダが構成される。このうち内端部側の爪ホルダ１４は、方形状の板金材から中央部に取付穴１５を形成してなり、この取付穴１５部を爪ボス３の外周に嵌合させて、軸芯Ａ方向に対して直交状にして突出させる。この取付穴１５部を爪ボス３の外周面に溶接等により溶着させて固定する。耕耘爪８は、この爪ホルダ１４の一側面に沿って接合させて、これら爪ホルダ１４の四辺部の各隅部に形成されるボルト穴と、耕耘爪８の基部二個所に形成されるボルト穴とにわたって、セットボルト１６を差込んで、ナット１７で締付けて固定する。このとき、耕耘爪８を各辺部に沿って取付ける場合は、爪ホルダ１４の内側と外側とに交互に取付けることもできる。又、図例のように４本の耕耘爪８全てをこの爪ホルダ１４の外側面に取付ける形態では、相隣接の耕耘爪８相互間を交差重合させることにより、セットボルト１６で共締め形態とすることができる。又、この伝動ケース７に接近する位置に取付けられる耕耘爪８は、一部を内側に湾曲する内湾曲面１８を有したものと、外側に湾曲する外湾曲面１９を有したものとを交互に取付けている。
【０００９】
前記外側端部の爪ホルダ１は、単一の略方形状の板金材によって成形される。方形状の上辺部と下辺部とに取付片５を形成するように適宜角度Ｂに裏、表側へ屈曲して、両取付片５は平行状に形成される。これら取付片５間の傾斜縁４の中央部に上下方向を長径とする楕円形状の取付穴６を形成する。この取付穴６は、傾斜縁４部を軸芯Ａ方向に対して傾斜角度Ｂにして、爪ボス３の周りに嵌合したとき密合しうる形態としている。これら爪ホルダ１の取付穴６部と爪ボス３の外周面との嵌合部を溶接等によって接着して一体構成とする。これら爪ホルダ１の傾斜縁４の傾斜角度Ｂ及び左右の取付片５間の間隔Ｃ等は、両取付片５に取付ける耕耘爪９の耕耘間隔によって決められる。この耕耘爪９は、基部を各取付片５の内側面又は外側面に沿わせて重合させて、前記耕耘爪８と同様にして、セットボルト２０、ナット２１によって締付けて取付固定する。この耕耘爪９は、基部を取付片５の方向に沿わせて取付けるため、各取付片５毎に一本宛て（又は二本宛て）の耕耘爪９を取付けることができる。各耕耘爪９の先端部は外側に湾曲する外湾曲面２２を形成する。
又、この爪ホルダ１の傾斜縁４に沿わせて耕耘爪を取付ける場合は、この耕耘爪の基部を、これら傾斜縁４及び取付片５の屈曲面に沿う形態に屈曲成形することによって取付け可能である。
【００１０】
耕耘爪を耕耘軸２に着脱するときは、爪ホルダ１４に耕耘爪８を取付け、爪ホルダ１に耕耘爪９を取付けた状態で、この爪ボス３の取付ボス部１３を耕耘軸２に嵌合させる。耕耘軸２のピン穴１０と爪ボス３のピン穴１１との重合部にセットピン１２を差込んで取付ける。又、取り外すときはこれと逆操作で行う。
耕耘軸２の回転によって爪ボス３を回転Ｄして、各耕耘爪８，９による土壌耕耘を行う。内湾曲面１８を有する耕耘爪８は伝動ケース７側に接近して残耕部を少なくするように耕耘し、この外側部の耕耘幅は、外湾曲面１９を有した耕耘爪８と、爪ホルダ１の内側と外側の各取付片５に取付けられた耕耘爪９によって幅広く耕耘される。
これら外側の耕耘爪９間には耕耘間隔Ｃを有するが、爪ボス３の周りには傾斜縁４が回転されるため、耕耘中にわら、草類が巻付こうとしても巻付難く、又、この傾斜縁４に巻付くわら、草類があると、耕耘土壌との間の接触抵抗に切断され易く、解除され易い。又、軸芯Ａ方向の間隔Ｃを有して配置形成されて耕耘爪９を取付支持する取付片５相互間は、この傾斜縁４により連結されて爪ボス３に固定されるため、取付片５の取付剛性を高めることができ、耕耘爪９の取付を安定させることができる。
【図面の簡単な説明】
【図１】耕耘爪の取付ホルダ部の斜視図。
【図２】その正面図。
【図３】その一部の側面図。
【符号の説明】
１    爪ホルダ
２    耕耘軸
３    爪ボス
４    傾斜縁
５    取付片
６    取付穴
【図１】
2005006531.tif 000003
【図２】
2005006531.tif 000004
【図３】
2005006531.tif 000005